(57)【特許請求の範囲】
【請求項１】
経度及び緯度を含む位置情報及び時間情報に対応付けて、基準となる天候時の日光の照射角度及び照度を記憶した記憶部と、
自装置の位置情報、時刻情報及び天候情報を検出する検出部と、
前記検出部によって検出された位置情報及び時刻情報に基づいて、前記記憶部に記憶された日光の照射角度に対応した照度を特定し、該特定した照度を、前記検出部によって検出された天候情報に対応した所定係数を乗じて得た照度に変換する変換部と
を有することを特徴とする画像表示装置。
【請求項２】
前記変換部は、
前記記憶部に記憶された、位置情報及び時間情報に対応する日光の照射角度に基づいて、前記検出部によって検出された位置情報及び時刻情報に対応する日光の照射角度を特定する照射角度特定部と、
前記記憶部に記憶された日光の照射角度及び照度に基づいて、前記照射角度特定部によって特定された日光の照射角度に対応した照度を特定し、該特定した照度に前記天候情報に応じた所定係数を乗じて得た値を、前記天候情報に対応した照度として変換する照度変換部とを有することを特徴とする請求項１に記載の画像表示装置。
【請求項３】
画像表示面の方位を測定する配置方位測定部が測定した方位を自装置の画面表示面が配置された方位として検出する方位検出部と、
前記画像表示面の傾きを検出する傾き検出部と、
前記方位検出部によって検出された方位及び前記傾き検出部によって検出された傾きを用いて、前記照射角度特定部によって特定された日光の照射角度を前記画像表示面に対する相対照射角度に変換し、該相対照射角度に対応した照度を前記記憶部に基づいて特定する画像表示照度変換部とを有することを特徴とする請求項２に記載の画像表示装置。
【請求項４】
前記照射角度特定部によって特定された日光の照射角度に基づいて、前記画像表示面に照射される直射日光の影響が小さくなるように、前記画像表示面の傾きを調整する傾き調整部を有することを特徴とする請求項３に記載の画像表示装置。
【請求項５】
前記変換部によって変換された日光の照射角度に対応した照度に応じて、画像の画質を補正する画質補正部を有することを特徴とする請求項１に記載の画像表示装置。
【請求項６】
画像表示装置と、前記画像表示装置と接続されるサーバとを有する画像表示システムであって、
前記サーバは、
基準位置の位置情報及び時間情報に対応付けて、日光の照射角度及び照度を記憶した第１の記憶部と、
前記画像表示装置から位置情報を取得すると、取得した位置情報に対する時間毎の照射角度及び照度を日光照射情報として前記第１の記憶部に記憶された日光の照射角度及び照度に基づいて生成し、該生成した日光照射情報を前記画像表示装置に出力する制御部とを有し、
前記画像表示装置は、
経度及び緯度を含む位置情報及び時間情報に対応付けて、日光の照射角度及び照度を前記日光照射情報として記憶した第２の記憶部と、
自装置の位置情報、時刻情報及び天候情報を検出する検出部と、
前記サーバから自装置の位置情報に対する前記日光照射情報を取得すると、該取得した日光照射情報を前記第２の記憶部に格納する格納部と、
前記検出部によって検出された位置情報及び時刻情報に基づいて、前記第２の記憶部に記憶された日光の照射角度に対応した照度を特定し、該特定した照度を前記検出部によって検出された天候情報に対応した照度に変換する変換部と
を有することを特徴とする画像表示システム。
【請求項７】
画像表示装置が照度を特定する照度特定方法であって、
前記画像表示装置が、
自装置の位置情報、時刻情報及び天候情報を検出する検出工程と、
前記検出工程によって検出された位置情報及び時刻情報に基づいて、経度及び緯度を含む位置情報及び時間情報に対応付けて、基準となる天候時の日光の照射角度及び照度を記憶した記憶部に記憶された日光の照射角度に対応した照度を特定し、該特定した照度を、前記検出工程によって検出された天候情報に対応した所定係数を乗じて得た照度に変換する変換工程と
を実行することを特徴とする照度特定方法。
【発明の詳細な説明】
【技術分野】
【０００１】
本発明は、外光の影響の大きい場所で使用する画像表示装置等に関する。
【背景技術】
【０００２】
近年、カーナビを代表とする車載装置や携帯電話等を屋外で使用する機会が非常に多くなっている。屋外でこれら装置を使用すると、該装置に含まれる画像表示装置が、直射日光からの映りこみの影響を受けるので、外光を検出する手段を必要とする。
【０００３】
画像表示装置が外光を検出する手段として、照度センサーがある。照度センサーを取り付けた画像表示装置が、該照度センサーから照度を検出し、照度に応じてバックライトの輝度等を調整し、画質の劣化を抑制する技術がある。
【先行技術文献】
【特許文献】
【０００４】
【特許文献１】特開２００９−２７６４２５号公報
【発明の概要】
【発明が解決しようとする課題】
【０００５】
しかしながら、画像表示装置が外光を検出する従来の技術では、画像表示装置に照度センサーを取り付ける必要があるので、製造時における作業が煩雑になってしまうという問題があった。また、画像表示装置に照度センサーを取り付けることに伴い、デザインの変更を余儀なくされる場合があり、製造時における作業がさらに煩雑になってしまう。
【０００６】
開示の技術は、上記に鑑みてなされたものであって、照度センサーを取り付ける場合に伴う製造時における作業の煩雑さを解消することができる画像表示装置、画像表示システム及び照度特定方法を提供することを目的とする。
【課題を解決するための手段】
【０００７】
本願の開示する画像表示装置は、一つの態様において、経度及び緯度を含む位置情報及び時間情報に対応付けて、日光の照射角度及び照度を記憶した記憶部と、自装置の位置情報、時刻情報及び天候情報を検出する検出部と、前記検出部によって検出された位置情報及び時刻情報に基づいて、前記記憶部に記憶された日光の照射角度に対応した照度を算出し、該算出した照度を前記検出部によって検出された天候情報に対応した照度に変換する変換部とを備える。
【発明の効果】
【０００８】
本願の開示する画像表示装置の一つの態様によれば、照度センサーを取り付ける場合に伴う画像表示装置の製造時における作業の煩雑さを解消することができるという効果を奏する。
【図面の簡単な説明】
【０００９】
【図１】図１は、実施例１に係る画像表示装置の構成を示す機能ブロック図である。
【図２】図２は、実施例２に係る画像表示システムの構成を示す機能ブロック図である。
【図３】図３は、照度変換テーブルのデータ構造の一例を示す図である。
【図４】図４は、照射角度変換テーブルのデータ構造の一例を示す図である。
【図５】図５は、実施例２に係る画像表示の処理手順を示すフローチャートである。
【図６】図６は、照度算出の処理手順を示すフローチャートである。
【図７】図７は、実施例２に係る画像表示システムの変形例を示す機能ブロック図である。
【図８】図８は、実施例３に係る画像表示システムの構成を示す機能ブロック図である。
【図９】図９は、画像表示部の画像表示面に対する相対照射角度を説明する図である。
【図１０】図１０は、実施例３に係る画像表示の処理手順を示すフローチャートである。
【図１１】図１１は、実施例４に係る画像表示システムの構成を示す機能ブロック図である。
【図１２】図１２は、傾き調整部の構成を示す機能ブロック図である。
【図１３】図１３は、画像表示面傾き調整の具体例を説明する図である。
【図１４】図１４は、実施例４に係る画像表示の処理手順を示すフローチャートである。
【発明を実施するための形態】
【００１０】
以下に、本願の開示する画像表示装置、画像表示システム及び照度特定方法の実施例を図面に基づいて詳細に説明する。なお、実施例によりこの発明が限定されるものではない。
【実施例１】
【００１１】
図１は、本実施例１に係る画像表示装置の構成を示す機能ブロック図である。図１に示すように、画像表示装置１は、記憶部１１、検出部１２及び変換部１３を有する。
【００１２】
記憶部１１は、経度及び緯度を含む位置情報及び時間情報に対応付けて、日光の照射角度及び照度を記憶する。検出部１２は、自装置の位置情報、時刻情報及び天候情報を検出する。
【００１３】
変換部１３は、検出部１２によって検出された位置情報及び時刻情報に基づいて、記憶部１１に記憶された日光の照射角度に対応した照度を算出する。そして、変換部１３は、該算出した照度を検出部１２によって検出された天候情報に対応した照度に変換する。
【００１４】
このようにして、画像表示装置１は、位置情報及び時間情報に対応付けて、日光の照射角度及び照度を記憶部に記憶することとした。このため、画像表示装置１は、自装置の位置情報、時刻情報及び天候情報における照射角度に対応した照度を、記憶部を用いることにより、照度センサーによらないで自動的に算出することができる。この結果、画像表示装置１は、照度を検出する照度センサーを自装置に取り付けなくても照度を算出できることとなり、自装置に照度センサーを取り付ける場合に伴う製造時における作業の煩雑さを解消できる。また、画像表示装置１は、照度を検出する照度センサーを自装置に取り付けなくても照度を算出できることとなり、自装置に照度センサーを取り付けることに伴うデザインの変更を考慮する必要がないので、製造時における作業の煩雑さを解消できる。
【実施例２】
【００１５】
［実施例２に係る画像表示システムの構成］
まず、実施例２に係る画像表示装置２を含む画像表示システム９の構成について図２を参照しながら説明する。図２は、実施例２に係る画像表示システム９を示す機能ブロック図である。図２に示すように、画像表示システム９は、サーバ２及び画像表示装置３を備える。なお、以下の実施例では、画像表示システム９は、基地局を代表とするサーバと通信データを送受信する車載装置に適用した場合を示す。しかし、本実施例により画像表示システム９が限定されるものではなく、基地局を代表とするサーバと通信データを送受信する携帯電話に適用可能である。さらに、画像表示システム９は、無線または有線によってサーバと通信データを送受信するパソコンに適用可能であることはいうまでもない。
【００１６】
［サーバの構成］
サーバ２は、画像表示装置３（車載装置）のための無線基地局を指し、画像表示装置３とネットワークによって接続される。また、サーバ２は、記憶部２１及び制御部２２を有する。記憶部２１は、基準位置照度変換テーブル２１１及び基準位置照射角度変換テーブル２１２を有する。なお、記憶部２１は、例えば、ＲＡＭ（Random Access Memory）、フラッシュメモリ（flash memory）等の半導体メモリ素子、または、ハードディスク、光ディスク等の記憶装置を含む。
【００１７】
基準位置照度変換テーブル２１１は、基準位置の位置情報及び時間情報に対応付けて、日光の照度を記憶する。また、基準位置照射角度変換テーブル２１２は、基準位置の位置情報及び時間情報に対応付けて、日光の照射角度を記憶する。ここで、基準位置とは、例えば東経１３５度の子午線上にある兵庫県明石市の所定位置を指す。また、基準位置照度変換テーブル２１１に記憶される日光の照度は、晴天時、すなわち日光を遮断する雲がない状況下での照度であるものとする。
【００１８】
制御部２２は、画像表示装置３から送信された位置情報に基づいて、該位置情報に対応する照度及び照射角度を日光照射情報（照度変換テーブル、照射角度変換テーブル）として生成し、生成した日光照射情報を画像表示装置３に送信する。さらに、制御部２２は、変換テーブル生成部２２１及び変換テーブル送信部２２２を有する。ここで、位置情報とは、画像表示装置３の位置を示す情報であり、例えば当該画像表示装置３の経度及び緯度を指すものである。なお、制御部２２は、例えば、ＡＳＩＣ（Application Specific Integrated Circuit）やＦＰＧＡ（Field Programmable Gate Array）等の集積回路またはＣＰＵ（Central Processing Unit）やＭＰＵ（Micro Processing Unit）等の電子回路である。
【００１９】
変換テーブル生成部２２１は、画像表示装置３から位置情報を受信すると、該位置情報に対する照度を時間毎に保持する照度変換テーブルを、基準位置照度変換テーブル２１１を用いて生成する。また、変換テーブル生成部２２１は、画像表示装置３から位置情報を受信すると、該位置情報に対する照射角度を時間毎に保持する照射角度変換テーブルを、基準位置照射角度変換テーブル２１２を用いて生成する。例えば、変換テーブル生成部２２１は、基準位置の経度及び緯度と位置情報の経度及び緯度との差分を算出し、該算出した差分を基準位置照度変換テーブル２１１の時間情報毎の日光の照度に反映させ、該位置情報に対応する照度変換テーブルを生成する。また、変換テーブル生成部２２１は、基準位置の経度及び緯度と位置情報の経度及び緯度との差分を算出し、該算出した差分を基準位置照射角度変換テーブル２１２の時間情報毎の日光の照射角度に反映させ、該位置情報に対応する照射角度変換テーブルを生成する。なお、時間情報は、年月日時単位であるとするが、年月日時分単位または年月日時分秒単位であるとしても良い。
【００２０】
変換テーブル送信部２２２は、変換テーブル生成部２２１によって生成された照度変換テーブルに関する情報及び照射角度変換テーブルに関する情報を、送信元の画像表示装置３に送信する。
【００２１】
［画像表示装置の構成］
画像表示装置３は、車載装置を指し、サーバ２（無線基地局）とネットワークによって接続されている。また、画像表示装置３は、画像表示部３１、信号送受信部３２、記憶部３３及び制御部３４を有する。画像表示部３１は、画像表示面に画像を表示する表示パネルであり、例えば液晶パネルを示す。
【００２２】
信号送受信部３２は、外部から情報を送受信可能なアンテナである。例えば、信号送受信部３２は、時刻情報を検出させるために、標準電波を受信する。信号送受信部３２は、自装置の現在の位置情報を検出させるために、ＧＰＳ（Global Positioning System）衛星から自装置の現在の位置情報を含む信号を受信する。信号送受信部３２は、自装置の現在の位置周辺の天候情報を検出させるために、アメダス（ＡＭｅＤＡＳ：Automated Meteorological Data Acquisition System）のような気象データを配信するシステムから天候情報を含む信号を受信する。
【００２３】
また、信号送受信部３２は、サーバ２と各種通信データを送受信する。なお、信号送受信部３２は、ＧＰＳ衛生から位置情報を含む信号を受信し、気象データ配信システムから天候情報を含む信号を受信するようにし、時刻情報として標準電波を受信するようにしたが、これらに限定されるものではない。
【００２４】
記憶部３３は、照度変換テーブル３３１及び照射角度変換テーブル３３２を有する。なお、照度変換テーブル３３１及び照射角度変換テーブル３３２の各内容の説明については、後に詳述する。また、記憶部３３は、例えば、ＲＡＭ（Random Access Memory）、フラッシュメモリ（flash memory）等の半導体メモリ素子、または、ハードディスク、光ディスク等の記憶装置を含む。
【００２５】
制御部３４は、位置情報検出部３４１、時刻情報検出部３４２、天候情報検出部３４３、変換部３４４及び画質補正処理部３４８を有する。また、変換部３４４は、変換テーブル取得部３４５、照射角度算出部３４６及び照度変換部３４７を有する。位置情報検出部３４１は、自装置の位置情報を検出する。例えば、位置情報検出部３４１は、信号送受信部３２から位置情報が重畳された信号を取得し、取得した信号から自装置の現在の位置情報を検出する。
【００２６】
時刻情報検出部３４２は、標準電波から現在の時刻情報を検出する。例えば、時刻情報検出部３４２は、信号送受信部３２から標準電波を取得し、取得した標準電波から時刻情報を検出する。天候情報検出部３４３は、気象データを配信するシステムから現在の天候情報を検出する。例えば、天候情報検出部３４３は、信号送受信部３２から天候情報が重畳された信号を取得し、取得した信号から自装置の現在位置の天候情報を検出する。なお、天候情報とは、例えば「晴天」、「曇天」及び「雨天」の区別を含む情報であるが、これらに限定されず、日光の照度に影響を与えるような情報であれば良い。
【００２７】
変換テーブル取得部３４５は、自装置の現在の位置情報に対応した照度変換テーブルに関する情報をサーバ２から取得する。また、変換テーブル取得部３４５は、自装置の現在の位置情報に対応した照射角度変換テーブルに関する情報をサーバ２から取得する。具体的には、変換テーブル取得部３４５は、位置情報検出部３４１によって検出された自装置の現在の位置情報を信号送受信部３２に出力する。また、変換テーブル取得部３４５は、自装置の現在の位置情報に対応する照度変換テーブルに関する情報及び照射角度変換テーブルに関する情報を信号送受信部３２から取得する。また、変換テーブル取得部３４５は、取得した照度変換テーブルに関する情報を照度変換テーブル３３１に格納する。また、変換テーブル取得部３４５は、取得した照射角度変換テーブルに関する情報を照射角度変換テーブル３３２に格納する。
【００２８】
ここで、照度変換テーブル３３１について図３を参照しながら説明する。図３は、照度変換テーブルのデータ構造の一例を示す図である。図３に示すように、照度変換テーブル３３１は、時刻３３１ａ、照度３３１ｂ及び備考３３１ｃを、時刻３３１ａに対応付けて記憶する。時刻３３１ａは、現在の年月日に対応する時刻を示し、日の出直後から日の入り直前までの時刻を示す。例えば時刻は、１時間単位で表しても良いし、３０分単位で表しても良いし、これらに限定されず、精度に準じて表すものとすれば良い。照度３３１ｂは、晴天時に日光から照射される、時刻３３１ａに対応する照度を示し、単位をルクス（ｌｕｘ）で表す。備考３３１ｃは、時刻３３１ａに対応する補足説明を示す。図３の例では、時刻３３１ａは１時間単位で表され、時刻３３１ａが「日の出後」の「午前Ａ１時」のとき、照度３３１ｂが「αｌｕｘ」となることを示している。また、時刻３３１ａが「南中時」の「午後Ａｋ時」のとき、照度３３１ｂが「εｌｕｘ」となることを示している。なお、照度は、日光の照射角度によって異なる。したがって、時刻３３１ａに対応する照度３３１ｂは、該時刻３３１ａの日光の照射角度に対応する照度となる。時刻３３１ａの日光の照射角度は、後述する照射角度変換テーブル３３２に記憶される。
【００２９】
ここで、照射角度変換テーブル３３２について図４を参照しながら説明する。図４は、照射角度変換テーブルのデータ構造の一例を示す図である。図４に示すように、照射角度変換テーブル３３２は、時刻３３２ａ、照射角度３３２ｂ及び備考３３２ｃを、時刻３３２ａに対応付けて記憶する。時刻３３２ａは、照度変換テーブル３３１の時刻３３１ａと同様に、現在の年月日に対応する時刻を示し、日の出直後から日の入り直前までの時刻を示す。照射角度３３２ｂは、時刻３３２ａに対応する日光の照射角度を示し、単位を度で表す。備考３３２ｃは、時刻３３２ａに対応する補足説明を示す。図４の例では、時刻３３２ａは１時間単位で表され、時刻３３２ａが「日の出後」の「午前Ａ１時」のとき、照射角度３３２ｂが「ａ１°」となることを示している。また、時刻３３２ａが「南中時」の「午後Ａｋ時」のとき、照射角度３３２ｂが「ａｋ°」となることを示している。
【００３０】
図２に戻って、照射角度算出部３４６は、現在の時刻情報に対応する、自装置の現在地点における日光の照射角度を、照射角度変換テーブル３３２に基づいて算出する。具体的には、照射角度算出部３４６は、時刻情報検出部３４２によって検出された現在の時刻情報を取得する。また、照射角度算出部３４６は、現在の時刻情報に対応する日光の照射角度を、照射角度変換テーブル３３２に基づいて算出する。
【００３１】
例えば、照射角度変換テーブル３３２の時刻３３２ａが、１時間単位で表されている場合とする。この場合、現在の時刻情報が午前１０時１５分である場合には、照射角度算出部３４６は、照射角度変換テーブル３３２から午前１０時の照射角度と午前１１時の照射角度を読み出す。そして、照射角度算出部３４６は、午前１１時の照射角度から午前１０時の照射角度を引いた差分角度を算出する。さらに、照射角度算出部３４６は、該差分角度に１５（分）／６０（分）を乗じて得た値を午前１０時の照射角度に加算し、現在の時刻情報、すなわち午前１０時１５分の照射角度を算出する。
【００３２】
照度変換部３４７は、現在の時刻情報に対応する、自装置の現在地点における日光の照射角度に対応した照度を算出する。具体的には、照度変換部３４７は、時刻情報検出部３４２によって検出された現在の時刻情報を取得する。また、照度変換部３４７は、現在の時刻情報に対応する日光の照度を、照度変換テーブル３３１に基づいて算出する。
【００３３】
例えば、照度変換テーブル３３１の時刻３３１ａが、１時間単位で表されている場合とする。また、照度変換テーブル３３１の照度３３１ｂは、前述したとおり同時刻の日光の照射角度に対応する照度である。この場合、現在の時刻情報が午前１０時１５分である場合には、照度変換部３４７は、照度変換テーブル３３１から午前１０時の照度と午前１１時の照度を読み出す。そして、照度変換部３４７は、午前１１時の照度から午前１０時の照度を引いた差分照度を算出する。さらに、照度変換部３４７は、該差分照度に１５（分）／６０（分）を乗じて得た値を午前１０時の照度に加算し、現在の時刻情報を指す午前１０時１５分の照度を算出する。
【００３４】
また、照度変換部３４７は、現在の時刻情報に対応する日光の照度（標準値）を、天候情報検出部３４３によって検出された天候情報に対応した照度に変換する。具体的には、照度変換部３４７は、天候情報検出部３４３によって検出された天候情報が「晴天」であるか否かを判定する。そして、照度変換部３４７は、当該天候情報が「晴天」であると判定した場合には、算出された照度（標準値）を天候情報に対応した照度とする。照度変換テーブル３３１に記憶された照度（標準値）が、晴天時の照度だからである。
【００３５】
また、照度変換部３４７は、天候情報検出部３４３によって検出された天候情報が「曇天」であるか否かを判定する。そして、照度変換部３４７は、当該天候情報が「曇天」であると判定した場合には、算出された照度（標準値）に曇天時である場合の所定係数を乗じて得た値を、「曇天」の天候情報に対応した照度とする。また、照度変換部３４７は、天候情報検出部３４３によって検出された天候情報が「雨天」であるか否かを判定する。そして、照度変換部３４７は、当該天候情報が「雨天」であると判定した場合には、算出された照度（標準値）に雨天である場合の所定係数を乗じて得た値を、「雨天」の天候情報に対応した照度とする。なお、曇天時である場合の所定係数とは、例えば０．５であり、雨天時である場合の所定係数とは、例えば０．３である。これらの所定係数は、予め実験等で調べられ、その情報は記憶部３３に記憶されている。
【００３６】
画質補正処理部３４８は、照度変換部３４７によって変換された照度及び照射角度算出部３４６によって算出された日光の照射角度に応じて、画像表示部３１に対する発光強度を調整する。すなわち、画質補正処理部３４８は、自装置の現在地点における日光の照射角度に対応した照度に応じて、画像表示部３１に対する発光強度を調整し、画像表示部３１に表示される画像の画質を補正する。
【００３７】
［実施例２に係る画像表示の処理手順］
次に、実施例２に係る画像表示の処理手順を、図５を参照して説明する。図５は、実施例２に係る照度算出の処理手順を示すフローチャートである。なお、図５では、自装置のある時点における画像表示を行う場合について説明する。
【００３８】
まず、信号送受信部３２は、各種信号を受信する（ステップＳ１１）。具体的には、信号送受信部３２は、時刻情報を検出させるために、標準電波を受信する。信号送受信部３２は、自装置の現在の位置情報を検出させるために、自装置の現在の位置情報を含む信号をＧＰＳ衛星から受信する。信号送受信部３２は、自装置の現在位置の天候情報を検出させるために、天候情報を含む信号をアメダスから受信する。
【００３９】
そして、位置情報検出部３４１は、信号送受信部３２から位置情報を含む信号を取得し、取得した信号から自装置の現在の位置情報を検出する（ステップＳ１２）。そして、時刻情報検出部３４２は、信号送受信部３２から標準電波を取得し、取得した標準電波から現在の時刻情報を検出する（ステップＳ１３）。そして、天候情報検出部３４３は、信号送受信部３２から天候情報を含む信号を取得し、取得した信号から自装置の現在位置の天候情報を検出する（ステップＳ１４）。
【００４０】
続いて、変換テーブル取得部３４５は、照度変換テーブル３３１及び照射角度変換テーブル３３２を、自装置の現在の位置情報に対応するようにカスタマイズする（ステップＳ１５）。例えば、変換テーブル取得部３４５は、位置情報検出部３４１によって検出された自装置の現在の位置情報を、信号送受信部３２を介してサーバ２に送信する。そして、変換テーブル取得部３４５は、当該位置情報に対応する照度変換テーブルに関する情報を、サーバ２から信号送受信部３２を介して取得し、該情報を照度変換テーブル３３１に反映させる。変換テーブル取得部３４５は、当該位置情報に対応する照射角度変換テーブルに関する情報を、サーバ２から信号送受信部３２を介して取得し、該情報を照射角度変換テーブル３３２に反映させる。
【００４１】
そして、照射角度算出部３４６は、自装置の現時点の照射角度を算出し、照度変換部３４７は、自装置の現時点の照度を算出する（ステップＳ１６）。続いて、画質補正処理部３４８は、照射角度算出部３４６によって算出された照射角度及び照度変換部３４７によって変換された照度に応じて、画像表示部３１に対する発光強度を調整し、画像表示部３１に表示される画像の画質を補正する（ステップＳ１７）。そして、画質補正処理部３４８は、画質補正後の画像を画像表示部３１に表示し（ステップＳ１８）、自装置の現地点における画像表示処理を終了する。
【００４２】
なお、図５では、自装置のある時点における画像表示を行う場合について説明したが、変化する自装置の位置、時刻における画像表示を連続して行なっても良い。連続して画像表示を行う場合には、ステップＳ１８による処理後に、ステップＳ１１に移行すれば良い。
【００４３】
［照度算出の処理手順］
次に、図５のステップＳ１６で説明した照度算出の処理手順について説明する。図６は、照度算出の処理手順を示すフローチャートである。
【００４４】
まず、照射角度算出部３４６は、時刻情報検出部３４２によって検出された現在の時刻情報を取得すると、該時刻情報に対応する照射角度を、照射角度変換テーブル３３２に基づいて算出する（ステップＳ２１）。
【００４５】
次に、照度変換部３４７は、時刻情報検出部３４２によって検出された現在の時刻情報を取得すると、該時刻情報に対応する照度を、照度変換テーブル３３１に基づいて算出する（ステップＳ２２）。すなわち、照度変換部３４７は、現在の時刻情報に対応する、自装置の現在地点における日光の照射角度に対応した照度を算出する。なお、算出された照度は、晴天時における標準照度であるものとする。
【００４６】
続いて、照度変換部３４７は、天候情報検出部３４３によって検出された天候情報が「晴天」であるか否かを判定する（ステップＳ２３）。そして、照度変換部３４７によって天候情報が「晴天」であると判定された場合には（ステップＳ２３Ｙｅｓ）、算出された標準照度を、天候情報に対応した照度とする。照度変換テーブル３３１に記憶された照度は、晴天時の照度だからである。
【００４７】
一方、照度変換部３４７によって天候情報が「晴天」でないと判定された場合には（ステップＳ２３Ｎｏ）、照度変換部３４７は、天候情報検出部３４３によって検出された天候情報が「曇天」であるか否かを判定する（ステップＳ２４）。そして、照度変換部３４７によって天候情報が「曇天」であると判定された場合には（ステップＳ２４Ｙｅｓ）、算出された標準照度を、曇天時の所定係数５０パーセント（％）を乗じて得た値に変換する（ステップＳ２５）。変換された値が、「曇天」の天候情報に対応した照度となる。
【００４８】
一方、照度変換部３４７によって天候情報が「曇天」でないと判定された場合には（ステップＳ２４Ｎｏ）、照度変換部３４７は、天候情報検出部３４３によって検出された天候情報が「雨天」であるか否かを判定する（ステップＳ２６）。そして、照度変換部３４７によって天候情報が「雨天」であると判定された場合には（ステップＳ２６Ｙｅｓ）、算出された標準照度を、雨天時の所定係数３０％を乗じて得た値に変換する（ステップＳ２７）。変換された値が、「雨天」の天候情報に対応した照度となる。
【００４９】
［実施例２の効果］
上記実施例２によれば、照射角度算出部３４６は、位置情報検出部３４１によって検出された位置情報及び時刻情報検出部３４２によって検出された時刻情報に対応する現在地点における照射角度を、照射角度変換テーブル３３２に基づいて算出する。そして、照度変換部３４７は、位置情報検出部３４１によって検出された位置情報及び時刻情報検出部３４２によって検出された時刻情報に対応した照度であって、該算出された照射角度に対応した照度を照度変換テーブル３３１に基づいて算出する。そして、照度変換部３４７は、該算出した照度に天候情報に応じた所定係数を乗じて得た値を、天候情報に対応した照度として変換する。
【００５０】
かかる構成によれば、照度変換部３４７は、照度変換テーブル３３１に基づいて現在地点における照度を算出し、該算出した照度を、天候情報に応じた所定係数を用いて天候情報に対応した照度に変換することとした。この結果、照度変換部３４７は、照度センサーによらないで天候情報に応じた照度を、自動的に且つ容易に求めることができる。また、画像表示装置３は、画像表示部３１の近傍に照度センサーを取り付けなくても照度を算出できることとなり、照度センサーを取り付ける場合に伴う製造時における作業の煩雑さを解消できる。また、画像表示装置３は、画像表示部３１の近傍に照度センサーを取り付けなくても照度を算出できることとなり、照度センサーを取り付けることに伴うデザインの変更を考慮する必要がないので、製造時における作業の煩雑さを解消できる。さらに、画像表示装置３は、照度センサーを取り付けなくても照度を算出できることとなり、照度センサーの追加に伴うコストアップもなくなる。
【００５１】
また、上記実施例２によれば、信号送受信部３２は、自装置の現在の位置情報、現在の時刻情報及び現在の天候情報を含む信号をそれぞれ受信する。そして、位置情報検出部３４１が、受信された信号から自装置の位置情報を検出し、時刻情報検出部３４２が、受信された信号から現在の時刻情報を検出し、天候情報検出部３４３が、受信された信号から現在の天候情報を検出する。
【００５２】
かかる構成によれば、外部の信号を受信し、自装置の現在の位置情報、現在の時刻情報及び現在の天候情報を検出することとした。このため、照度を算出するために必要な自装置の各種情報をパラメータとして用いることができるので、照度の自動的な算出に活用できる。
【００５３】
また、上記実施例２によれば、画質補正処理部３４８が、照度変換部３４７によって変換された照度及び照射角度算出部３４６によって算出された日光照射角度に応じて、画像表示部３１に表示される画像の画質を補正する。かかる構成によれば、画質補正処理部３４８は、外光の影響の大きい場所であっても照度センサーを利用しないで照度等を算出し、算出した照度等を用いて画像の画質を補正することとした。この結果、画像表示装置３は、外光の影響の大きい場所であっても外光の影響を是正した視認性の良い画質を保持できる。
【００５４】
［実施例２に係る画像表示システムの変形例］
ここで、実施例２に係る画像表示システム９の変形例について、図７を参照して説明する。図７は、実施例２に係る画像表示システムの変形例を示す機能ブロック図である。図７に示すように、画像表示装置４は、照度変換テーブル３３１及び照射角度変換テーブル３３２を有する記憶部３３を内部に有さないで、外部の記憶装置８として有する。この場合であっても、画像表示装置４は、記憶装置８とネットワーク接続されて協働することで、上記した画像表示装置３の機能を実現することができることはいうまでもない。
【実施例３】
【００５５】
ところで、実施例２に係る画像表示装置３では、自装置の現在の位置情報、現在の時刻情報及び現在の天候情報を検出し、これら検出した情報に対応する照度であって自装置の現在地点における日光照射角度に対応した照度を算出する場合を説明した。画像表示装置３は、これに限定されるものではなく、自装置の画像表示部３１の配置された方位及び自装置の画像表示部３１の傾きを考慮して、自装置の現在地点における日光照射角度に対応した照度を算出しても良い。
【００５６】
そこで、実施例３では、画像表示装置５が、自装置の画像表示部３１の配置された方位及び自装置の画像表示部３１の傾きを考慮して、自装置の現在地点における日光照射角度に対応した照度を算出する場合を説明する。
【００５７】
［実施例３に係る画像表示装置の構成］
図８は、実施例３に係る画像表示システム９の構成を示す機能ブロック図である。なお、図２に示す画像表示システム９と同一の構成については同一符号を示すことで、その重複する構成及び動作の説明については省略する。実施例２と実施例３とが異なるところは、画像表示装置５に配置方位測定部４０１及び画像表示面傾き測定部４０２を追加した点にある。さらに、実施例２と実施例３とが異なるところは、制御部３４に配置方位検出部４０３、画像表示面傾き検出部４０４及び画像表示面照度変換部４０７を追加した点にある。さらに、記憶部３３に配置方位記憶部４０５及び画像表示面傾き記憶部４０６を追加した点にある。
【００５８】
配置方位測定部４０１は、画像表示部３１の配置位置から画像表示部３１の画像表示面が配置された方位を測定する。配置方位測定部４０１は、例えば、方位センサーであったり、地磁気センサーであったりする。
【００５９】
画像表示面傾き測定部４０２は、画像表示部３１の画像表示面の傾きを測定する。画像表示面傾き測定部４０２は、例えば、加速度センサーである。
【００６０】
配置方位検出部４０３は、配置方位測定部４０１から画像表示部３１の画像表示面が配置された方位を検出し、検出した画像表示面の配置方位を配置方位記憶部４０５に格納する。また、画像表示面傾き検出部４０４は、画像表示面傾き測定部４０２から画像表示部３１の画像表示面の傾きを検出し、検出した傾きを画像表示面傾き記憶部４０６に格納する。
【００６１】
画像表示面照度変換部４０７は、照射角度算出部３４６によって算出された照射角度を、画像表示部３１の画像表示面が配置された方位と傾きとに応じた相対照射角度に変換し、該変換した相対照射角度に応じた照度を求める。ここで、相対照射角度とは、画像表示部３１の画像表示面に対する日光の照射角度をいう。例えば、画像表示面照度変換部４０７は、配置方位記憶部４０５から画像表示面の配置方位を読み出す。また、画像表示面照度変換部４０７は、画像表示面傾き記憶部４０６から画像表示部３１の画像表示面の傾きを読み出す。また、画像表示面照度変換部４０７は、読み出した画像表示面の配置方位及び傾きを用いて、照射角度算出部３４６によって算出された照射角度を、画像表示面に対する相対照射角度に変換する。また、画像表示面照度変換部４０７は、該変換した相対照射角度と一致する照射角度に対応する時刻を、照射角度変換テーブル３３２から算出する。そして、画像表示面照度変換部４０７は、該算出した時刻と一致する時刻に対応する照度を照度変換テーブル３３１から算出する。すなわち、画像表示面照度変換部４０７は、画像表示部３１の画像表示面に対する日光の相対照射角度を算出し、該算出した相対照射角度に対応する照度を算出することで、画像表示面の配置方位及び傾きに対応した照度を算出する。
【００６２】
［画像表示面に対する相対照射角度の説明］
ここで、画像表示部３１の画像表示面に対する相対照射角度を、図９を参照して説明する。図９は、画像表示部３１の画像表示面に対する相対照射角度を説明する図である。図９に示すように、画像表示部３１の現時点の位置における日光の照射角度は、「ａ°」であり、照度は「βｌｕｘ」であるものとする。
【００６３】
まず、画像表示面照度変換部４０７は、画像表示面Ｄの配置方位を配置方位記憶部４０５から読み出し、画像表示面Ｄの傾きを画像表示面傾き記憶部４０６から読み出す。ここでは、配置方位は「ｅ」であり、傾きは「ｂ°」であるものとする。
【００６４】
次に、画像表示面照度変換部４０７は、該読み出した配置方位及び傾きを用いて、照射角度算出部３４６によって算出された照射角度「ａ°」を、画像表示部３１の画像表示面Ｄに対する相対照射角度に変換する。ここでは、画像表示部３１の画像表示面Ｄに対する相対照射角度は、画像表示面Ｄの延長線上から日光照射方向までの角度となるので、「１８０°−ｂ°＋ａ°」となる。
【００６５】
このようにして変換された相対照射角度を用いて、画像表示面照度変換部４０７は、仮に画面表示面Ｄが水平面Ｈであったとした場合の該相対照射角度に対応する時刻を照射角度変換テーブル３３２から算出する。そして、画像表示面照度変換部４０７は、仮に画面表示面Ｄが水平面Ｈであったとした場合の該相対照射角度に対応する照度を、照度変換テーブル３３１から算出する。すなわち、画像表示面照度変換部４０７は、該相対照射角度に対応する時刻と一致する時刻に対応する照度を照度変換テーブル３３１から算出する。これにより、画像表示面照度変換部４０７は、画像表示部３１の画像表示面Ｄの配置方位「ｅ」及び傾き「ｂ°」に対応した照度を算出する。
【００６６】
［実施例３に係る画像表示の処理手順］
次に、実施例３に係る画像表示の処理手順を、図１０を参照して説明する。図１０は、実施例３に係る画像表示の処理手順を示すフローチャートである。なお、図１０では、自装置のある時点における画像表示を行う場合について説明する。また、実施例３に係る画像表示の処理手順のうち、実施例２に係る画像表示の処理手順（図５）と同じ処理手順については、同一符号を付すことで、その重複する手順の説明を簡略する。
【００６７】
まず、信号送受信部３２は、各種信号を受信する（ステップＳ１１）。具体的には、信号送受信部３２は、時刻情報を検出させるために、標準電波を受信する。信号送受信部３２は、自装置の現在の位置情報を検出させるために、自装置の現在の位置情報を含む信号をＧＰＳ衛星から受信する。信号送受信部３２は、自装置の現在位置の天候情報を検出させるために、天候情報を含む信号をアメダスから受信する。
【００６８】
そして、位置情報検出部３４１は、信号送受信部３２から位置情報を含む信号を取得し、取得した信号から自装置の現在の位置情報を検出する（ステップＳ１２）。そして、時刻情報検出部３４２は、信号送受信部３２から標準電波を取得し、取得した標準電波から現在の時刻情報を検出する（ステップＳ１３）。そして、天候情報検出部３４３は、信号送受信部３２から天候情報を含む信号を取得し、取得した信号から自装置の現在位置の天候情報を検出する（ステップＳ１４）。
【００６９】
続いて、変換テーブル取得部３４５は、照度変換テーブル３３１及び照射角度変換テーブル３３２を、自装置の現在の位置情報に対応するようにカスタマイズする（ステップＳ１５）。そして、照射角度算出部３４６は、自装置の現時点の照射角度を、照射角度変換テーブル３３２を用いて算出し、照度変換部３４７は、自装置の現時点の照度を、照度変換テーブル３３１を用いて算出する（ステップＳ１６）。なお、自装置の現時点の照度を算出する処理手順については、実施例２に係る照度算出の処理手順（図６）と同じであるので、その説明を省略する。
【００７０】
続いて、画像表示面照度変換部４０７は、照射角度算出部３４６によって算出された照射角度を、画像表示部３１の画像表示面の方位及び傾きに応じた照射角度（相対照射角度）に変換し、該変換した相対照射角度に応じた照度を算出する（ステップＳ３１）。ここで、相対照射角度とは、画像表示部３１の画像表示面に対する日光の照射角度をいう。
【００７１】
続いて、画質補正処理部３４８は、画像表示面照度変換部４０７によって変換された照射角度及び照度に応じて、画像表示部３１に対する発光強度を調整し、画像表示部３１に表示される画像の画質を補正する（ステップＳ１７）。そして、画質補正処理部３４８は、画質補正後の画像を画像表示部３１に表示し（ステップＳ１８）、自装置の現地点における画像表示処理を終了する。
【００７２】
なお、図１０では、自装置のある時点における画像表示を行う場合について説明したが、変化する自装置の位置、時刻における画像表示を連続して行なっても良い。連続して画像表示を行う場合には、ステップＳ１８による処理後に、ステップＳ１１に移行すれば良い。
【００７３】
［実施例３の効果］
上記実施例３によれば、配置方位検出部４０３が画像表示部３１の配置された方位を検出し、画像表示面傾き検出部４０４が画像表示部３１の傾きを検出する。そして、画像表示面照度変換部４０７が、配置方位検出部４０３によって検出された方位及び画像表示面傾き検出部４０４によって検出された傾きを用いて、照射角度算出部３４６によって算出された照射角度を画像表示部３１に対する相対照射角度に変換する。さらに、画像表示面照度変換部４０７が、該変換した相対照射角度に対応した照度を照射角度変換テーブル３３２及び照度変換テーブル３３１に基づいて算出する。
【００７４】
かかる構成によれば、画像表示面照度変換部４０７が、画像表示部３１の配置された方位及び画像表示部３１の傾きを用いて、日光の照射角度を画像表示部３１に対する相対照射角度に変換し、該変換した相対照射角度に対応した照度を算出することとした。この結果、画像表示面照度変換部４０７が、画像表示部３１の配置された方位及び画像表示部３１の傾きに合った照度を得ることができ、当該照度を用いて画像表示部３１の画像の画質を補正することにより画質が劣化することから防止できる。また、画像表示面照度変換部４０７が、画像表示部３１の配置された方位及び画像表示部３１の傾きに合った照度を照度センサーによらないで自動的に算出することができる。また、画像表示装置５は、画像表示部３１の近傍に照度センサーを取り付けなくても照度を検出できることとなり、照度センサーを取り付ける場合に伴う製造時における作業の煩雑さを解消できる。また、画像表示装置５は、画像表示部３１の近傍に照度センサーを取り付けなくても照度を検出できることとなり、照度センサーを取り付けることに伴うデザインの変更を考慮する必要がないので、製造時における作業の煩雑さを解消できる。さらに、画像表示装置５は、照度センサーを取り付けなくても照度を検出できることとなり、照度センサーの追加に伴うコストアップもなくなる。
【実施例４】
【００７５】
ところで、実施例２に係る画像表示装置３では、自装置の現在の位置情報、現在の時刻情報及び現在の天候情報を検出し、これら検出した情報に対応する照度であって自装置の現在地点における日光照射角度に対応した照度を算出する場合を説明した。画像表示装置３は、これに限定されるものではなく、自装置の現在地点における日光照射角度に対応した照度の算出後、自装置の現在地点における日光照射角度に基づいて、直射日光の影響を減らすように画像表示部３１の傾きを調整しても良い。
【００７６】
そこで、実施例４では、画像表示装置６が、自装置の現在地点における日光照射角度に対応した照度の算出後、自装置の現在地点における日光照射角度に基づいて、直射日光の影響を減らすように画像表示部３１の傾きを調整する場合を説明する。
【００７７】
［実施例４に係る画像表示装置の構成］
図１１は、実施例４に係る画像表示システム９の構成を示す機能ブロック図である。なお、図２に示す画像表示システム９と同一の構成については同一符号を示すことで、その重複する構成及び動作の説明については省略する。実施例２と実施例４とが異なるところは、画像表示装置６に配置方位測定部４０１及び画像表示面傾き測定部４０２を追加した点にある。さらに、実施例２と実施例４とが異なるところは、制御部３４に配置方位検出部４０３、画像表示面傾き検出部４０４及び傾き調整部５０１を追加した点にある。さらに、記憶部３３に配置方位記憶部４０５及び画像表示面傾き記憶部４０６を追加した点にある。
【００７８】
配置方位測定部４０１は、画像表示部３１の配置位置から画像表示部３１の画像表示面が配置された方位を測定する。配置方位測定部４０１は、例えば、方位センサーであったり、地磁気センサーであったりする。画像表示面傾き測定部４０２は、画像表示部３１の画像表示面の傾きを測定する。画像表示面傾き測定部４０２には、例えば、加速度センサーがある。
【００７９】
配置方位検出部４０３は、配置方位測定部４０１から画像表示部３１の画像表示面が配置された方位を検出し、検出した画像表示面の配置方位を配置方位記憶部４０５に格納する。また、画像表示面傾き検出部４０４は、画像表示面傾き測定部４０２から画像表示部３１の画像表示面の傾きを検出し、検出した傾きを画像表示面傾き記憶部４０６に格納する。
【００８０】
傾き調整部５０１は、照射角度算出部３４６によって算出された現在地点における照射角度に基づいて、画像表示部３１の画像表示面の傾きを、直射日光の影響を減らすように調整する。なお、傾き調整部５０１の詳細な説明については、後述する。
【００８１】
［傾き調整部の構成］
次に、傾き調整部５０１の構成について図１２を参照して説明する。図１２は、傾き調整部の構成を示す機能ブロック図である。図１２に示すように、傾き調整部５０１は、照射方向算出部５１１、相対位置特定部５１２及び画像表示面傾き調整部５１３を有する。
【００８２】
照射方向算出部５１１は、照射角度算出部３４６によって算出された現在地点における照射角度から日光の照射方向を求める。
【００８３】
相対位置特定部５１２は、画像表示部３１の画像表示面に対する日光の照射方向との相対的な位置関係を特定する。具体的には、相対位置特定部５１２は、照射方向算出部５１１によって算出された日光照射方向を取得する。また、相対位置特定部５１２は、配置方位記憶部４０５から画像表示部３１の画像表示面の配置方位を読み出す。そして、相対位置特定部５１２は、該取得した日光照射方向及び該読み出した画像表示面の配置方位に基づいて、画像表示面に対する日光照射方向との相対的な位置関係を特定する。
【００８４】
画像表示面傾き調整部５１３は、画像表示部３１の画像表示面の現在の傾きを、直射日光の影響を減らすように調整する。具体的には、画像表示面傾き調整部５１３は、相対位置特定部５１２から画像表示面の日光照射方向との相対的な位置関係を取得する。また、画像表示面傾き調整部５１３は、画像表示面傾き記憶部４０６から画像表示部３１の画像表示面の傾きを読み出す。この傾きは、例えば画像表示部３１が配置された場所の水平面からの傾きである。そして、画像表示面傾き調整部５１３は、該取得した画像表示面の日光照射方向との相対的な位置関係及び該読み出した画像表示面の傾きに基づいて、画像表示面の傾きを直射日光の影響が小さくなるように調整する。例えば、画像表示面傾き調整部５１３は、画像表示面に対する日光の照射角度（相対照射角度）が９０度となるように、画像表示面の傾きを左右または上下の方向に調整する。
【００８５】
また、画像表示面傾き調整部５１３は、調整する傾きに対する値を、画像表示部３１のドライバへ通知する。この結果、画像表示部３１のドライバは、通知された傾きに対する値に応じて、画像表示部３１の傾きを変更（チルト）する。また、画像表示面傾き調整部５１３は、調整した傾きに対する値を画像表示面傾き記憶部４０６に格納する。
【００８６】
［画像表示面傾き調整の具体例］
ここで、画像表示面傾き調整の具体例を、図１３を参照して説明する。図１３は、画像表示面傾き調整の具体例を説明する図である。図１３に示すように、画像表示部３１の現時点の位置における日光の照射角度は、「ａ°」であるものとする。また、画像表示部３１の画像表示面の傾きは、「ｂ°」であるものとする。
【００８７】
まず、照射方向算出部５１１は、画像表示部３１の現在地点における照射角度「ａ°」から日光照射方向ｆを求める。次に、相対位置特定部５１２は、配置方位記憶部４０５から画像表示部３１の画像表示面の配置方位を読み出す。ここでは、画像表示面の配置方位は、「ｅ」とする。さらに、相対位置特定部５１２は、照射方向算出部５１１によって算出された日光照射方向ｆ及び画像表示面の配置方位ｅに基づいて、画像表示面に対する日光照射方向ｆとの相対的な位置関係を特定する。
【００８８】
次に、画像表示面傾き調整部５１３は、相対位置特定部５１２から画像表示面に対する日光照射方向との相対的な位置関係及び画像表示部３１の画像表示面の傾き「ｂ°」に基づいて、画像表示面の傾きを直射日光の影響が小さくなるように調整する。ここでは、画像表示面傾き調整部５１３は、画像表示面の傾きを直射日光の影響が小さくなるように上下に「ｃ°」だけチルトするように調整する。なお、画像表示面傾き調整部５１３は、画像表示面の傾きの調整方向を上下として説明したが、直射日光の影響が小さくなるような調整方向であれば良く、調整方向を左右としても良い。
【００８９】
［実施例４に係る画像表示の処理手順］
次に、実施例４に係る画像表示の処理手順を、図１４を参照して説明する。図１４は、実施例４に係る画像表示の処理手順を示すフローチャートである。なお、図１４では、自装置のある時点における画像表示を行う場合について説明する。また、実施例４に係る画像表示の処理手順のうち、実施例２に係る画像表示の処理手順（図５）と同じ処理手順については、同一符号を付すことで、その重複する手順の説明を簡略する。
【００９０】
まず、信号送受信部３２は、各種信号を受信する（ステップＳ１１）。具体的には、信号送受信部３２は、時刻情報を検出させるために、標準電波を受信する。信号送受信部３２は、自装置の現在の位置情報を検出させるために、自装置の現在の位置情報を含む信号をＧＰＳ衛星から受信する。信号送受信部３２は、自装置の現在位置の天候情報を検出させるために、天候情報を含む信号をアメダスから受信する。
【００９１】
そして、位置情報検出部３４１は、信号送受信部３２から位置情報を含む信号を取得し、取得した信号から自装置の現在の位置情報を検出する（ステップＳ１２）。そして、時刻情報検出部３４２は、信号送受信部３２から標準電波を取得し、取得した標準電波から現在の時刻情報を検出する（ステップＳ１３）。そして、天候情報検出部３４３は、信号送受信部３２から天候情報を含む信号を取得し、取得した信号から自装置の現在位置の天候情報を検出する（ステップＳ１４）。
【００９２】
続いて、変換テーブル取得部３４５は、照度変換テーブル３３１及び照射角度変換テーブル３３２を、自装置の現在の位置情報に対応するようにカスタマイズする（ステップＳ１５）。そして、照射角度算出部３４６は、自装置の現時点の照射角度を、照射角度変換テーブル３３２を用いて算出し、照度変換部３４７は、自装置の現時点の照度を、照度変換テーブル３３１を用いて算出する（ステップＳ１６）。なお、自装置の現時点の照度を算出する処理手順については、実施例２に係る照度算出の処理手順（図６）と同じであるので、その説明を省略する。
【００９３】
続いて、傾き調整部５０１は、照射角度算出部３４６によって算出された現地点における照射角度に基づいて、画像表示部３１の画像表示面の傾きを、直射日光の影響を減らすように調整する（ステップＳ４１）。
【００９４】
その後、画質補正処理部３４８は、照射角度算出部３４６によって算出された照射角度及び照度変換部３４７によって変換された照度に応じて、画像表示部３１に対する発光強度を調整し、画像表示部３１に表示される画像の画質を補正する（ステップＳ１７）。そして、画質補正処理部３４８は、画質補正後の画像を画像表示部３１に表示し（ステップＳ１８）、自装置の現地点における画像表示処理を終了する。
【００９５】
なお、図１４では、自装置のある時点における画像表示を行う場合について説明したが、変化する自装置の位置、時刻における画像表示を連続して行なっても良い。連続して画像表示を行う場合には、ステップＳ１８による処理後に、ステップＳ１１に移行すれば良い。
【００９６】
［実施例４の効果］
上記実施例４によれば、傾き調整部５０１が、照射角度算出部３４６によって算出された日光の照射角度に基づいて、画像表示部３１の画像表示面に照射される直射日光の影響が小さくなるように、当該画像表示面の傾きをチルトさせるようにした。
【００９７】
かかる構成によれば、日光の照射角度に基づいて、画像表示面に照射される直射日光の影響が小さくなるように、当該画像表示面の傾きを自動的にチルトさせることとした。このため、画像表示装置６は、当該画像表示面に対する直射日光の直接反射を抑制できるので、チルトさせない場合と比較して、視認性の良い画質を提供できる。
【００９８】
［その他］
なお、実施例２〜４では、照度変換部３４７は、現在の時刻情報に対応する日光の晴天時の照度を、天候情報に含まれる「晴天」、「曇天」及び「雨天」に対応した照度に変換するものとして説明した。しかしながら、照度変換部３４７は、天候情報をこれらの天候に限定しないで、天候情報に含まれる天候をさらに細分化し、該細分化した天候に対応した照度に変更するものとしても良い。この場合、細分化した天候に対応した所定係数を予め記憶部３３に記憶しておき、照度変換部３４７は、記憶部３３に基づいて、天候情報検出部３４７によって検出された天候情報に対応した照度に変換する。
【００９９】
また、実施例２〜４では、信号送受信部３２が、自装置の現在位置の天候情報を検出させるために、アメダスのような気象データを配信するシステムから天候情報を含む信号を受信するものとして説明した。しかしながら、信号送受信部３２は、これに限定されず、自治体が独自に所有するドップラーレーダ等の局地観測レーダのような観測情報を含む信号を受信するものとしても良い。これにより、信号送受信部３２によって自装置の現在位置の精度の良い天候情報を受信できるので、照度変換部３４７は、該天候情報を用いて、高精度に照度を変換することができる。
【０１００】
また、実施例２〜４では、照度変換部３４７は、現在の時刻情報に対応する日光の照度を、自装置の現在の位置情報に対応した照度変換テーブル３３１に基づいて算出するものとして説明した。しかしながら、照度変換部３４７は、これに限定されず、自装置の現在の位置情報が外光の影響を大きく受けない位置であるか否かを判定し、自装置の現在の位置情報が外光の影響を大きく受けない位置である場合には、照度算出を行わないようにしても良い。自装置の現在の位置情報が外光の影響を大きく受けない位置とは、例えばトンネル内がある。すなわち、トンネル外からトンネル内に入るような場合、照度変換部３４７は、照度算出を行わず、例えば従来技術である夜間用モードで照度調整をするようにしても良い。この場合、トンネルのような外光の影響を大きく受けない位置を予め記憶部３３に記憶しておき、照度変換部３４７は、記憶部３３に基づいて、自装置の現在の位置情報が外光の影響を大きく受けない位置であるか否かを判定する。そして、自装置の現在の位置情報が外光の影響を大きく受けない位置であると判定された場合には、照度変換部３４７は、照度算出から夜間用モードに切り替える。これにより、画像表示部３１の近傍に照度センサーを取り付けなくても外光の影響を大きく受けない位置の照度制御をも行うことができることとなり、照度制御の精度を向上できる。
【０１０１】
また、実施例４では、相対位置特定部５１２が、日光照射方向及び画像表示面の配置方位に基づいて、画像表示面に対する日光照射方向との相対的な位置関係を特定するものとして説明した。しかしながら、相対位置特定部５１２は、これに限定されるものではなく、日光照射方向及び画像表示部３１を使用する使用者の位置情報を表す使用者位置情報に基づいて、使用者の日光照射方向との相対的な位置関係を特定するものとしても良い。この場合、配置方位記憶部４０５に使用者位置情報を予め記憶しておき、相対位置特定部５１２が、配置方位記憶部４０５から画像表示面の配置方位情報に代えて使用者位置情報を読み出す。そして、相対位置特定部５１２が、日光照射方向算出部５１１から取得した日光照射方向及び該読み出した使用者位置情報に基づいて、使用者の日光照射方向との相対的な位置関係を特定する。そして、画像表示面傾き調整部５１３が、該特定した使用者の日光照射方向との相対的な位置関係及び画像表示面の傾きに基づいて、画像表示面の傾きを直射日光の影響が小さくなるように調整する。これにより、画像表示装置６は、画像表示部３１の画像表示面に対する直射日光の直接反射を抑制できるので、チルトさせない場合と比較して、視認性の良い画質を提供できる。
【０１０２】
また、図示した各装置の各構成要素は、必ずしも物理的に図示の如く構成されていることを要しない。すなわち、各装置の分散・統合の具体的態様は図示のものに限られず、その全部又は一部を、各種の負荷や使用状況等に応じて、任意の単位で機能的又は物理的に分散・統合して構成することができる。例えば、位置情報検出部３４１と時刻情報検出部３４２と天候情報検出部３４３とを１つの部として統合しても良い。一方、照度変換部３４７を、現在地点における日光の照射角度に対応した照度を算出する照度算出部と、天候情報に対応した照度に変換する照度変換部とに分散しても良い。また、記憶部３３を画像表示装置３の外部装置として有し、ネットワーク接続されて協働することで、上記した画像表示装置３、５、６の機能を実現するようにしても良い。また、変換部３４４を画像表示装置３の外部装置に設けておき、ネットワーク接続されて協働することで、上記した画像表示装置３、４、５、６の機能を実現するようにしても良い。
【０１０３】
また、画像表示装置３、４、５、６にて行われる各処理機能は、その全部または任意の一部が、ＣＰＵ（Central Processing Unit）（またはＭＰＵ（Micro Processing Unit）、ＭＣＵ（Micro Controller Unit）等のマイクロ・コンピュータ）及び当該ＣＰＵ（またはＭＰＵ、ＭＣＵなどのマイクロ・コンピュータ）にて解析実行されるプログラムにて実現され、あるいは、ワイヤードロジックによるハードウェアとして実現されても良い。
【０１０４】
以上の実施例に係る実施形態に関し、さらに以下の付記を開示する。
【０１０５】
（付記１）経度及び緯度を含む位置情報及び時間情報に対応付けて、日光の照射角度及び照度を記憶した記憶部と、
自装置の位置情報、時刻情報及び天候情報を検出する検出部と、
前記検出部によって検出された位置情報及び時刻情報に基づいて、前記記憶部に記憶された日光の照射角度に対応した照度を算出し、該算出した照度を前記検出部によって検出された天候情報に対応した照度に変換する変換部と
を有することを特徴とする画像表示装置。
【０１０６】
（付記２）前記変換部は、
前記検出部によって検出された位置情報及び時刻情報に対応する地点における日光の照射角度を、前記記憶部に記憶された前記日光の照射角度に基づいて算出する照射角度算出部と、
前記検出部によって検出された位置情報及び時刻情報に対応した照度であって前記照射角度算出部によって算出された照射角度に対応した照度を、前記記憶部に記憶された前記照度に基づいて算出し、該算出した照度に前記天候情報に応じた所定係数を乗じて得た値を、前記天候情報に対応した照度として変換する照度変換部とを有することを特徴とする付記１に記載の画像表示装置。
【０１０７】
（付記３）自装置の位置情報を含む信号、時刻情報を含む信号及び天候情報を含む信号をそれぞれ受信する信号受信部を有し、
前記検出部は、
前記信号受信部によって受信された信号から自装置の位置情報を検出する位置情報検出部と、
前記信号受信部によって受信された信号から時刻情報を検出する時刻情報検出部と、
前記信号受信部によって受信された信号から天候情報を検出する天候情報検出部とを含むことを特徴とする付記１または付記２に記載の画像表示装置。
【０１０８】
（付記４）自装置の画像表示部が配置された方位を検出する方位検出部と、
前記画像表示部の傾きを検出する傾き検出部と、
前記方位検出部によって検出された方位及び前記傾き検出部によって検出された傾きを用いて、前記照射角度算出部によって算出された日光の照射角度を前記画像表示部に対する相対照射角度に変換し、該相対照射角度に対応した照度を前記記憶部に基づいて算出する画像表示照度変換部とを有することを特徴とする付記２に記載の画像表示装置。
【０１０９】
（付記５）前記照射角度算出部によって算出された日光の照射角度に基づいて、前記画像表示部に照射される直射日光の影響が小さくなるように、前記画像表示部の傾きを調整する傾き調整部を有することを特徴とする付記４に記載の画像表示装置。
【０１１０】
（付記６）前記傾き調整部は、
前記照射角度算出部によって算出された日光の照射角度から日光の照射方向を算出し、該算出した日光の照射方向、前記方位検出部によって検出された前記画像表示部の配置方位及び前記傾き検出部によって検出された前記画像表示部の傾きに基づいて、直射日光の影響が小さくなるように前記画像表示部の傾きを調整することを特徴とする付記５に記載の画像表示装置。
【０１１１】
（付記７）前記変換部によって変換された日光の照射角度に対応した照度に応じて、画像の画質を補正する画質補正部を有することを特徴とする付記１に記載の画像表示装置。
【０１１２】
（付記８）画像表示装置と、前記画像表示装置と接続されるサーバとを有する画像表示システムであって、
前記サーバは、
基準位置の位置情報及び時間情報に対応付けて、日光の照射角度及び照度を記憶した第１の記憶部と、
前記画像表示装置から位置情報を取得すると、取得した位置情報に対する時間毎の照射角度及び照度を日光照射情報として前記第１の記憶部に記憶された日光の照射角度及び照度に基づいて生成し、該生成した日光照射情報を前記画像表示装置に出力する制御部とを有し、
前記画像表示装置は、
経度及び緯度を含む位置情報及び時間情報に対応付けて、日光の照射角度及び照度を前記日光照射情報として記憶した第２の記憶部と、
自装置の位置情報、時刻情報及び天候情報を検出する検出部と、
前記サーバから自装置の位置情報に対する前記日光照射情報を取得すると、該取得した日光照射情報を前記第２の記憶部に格納する格納部と、
前記検出部によって検出された位置情報及び時刻情報に基づいて、前記第２の記憶部に記憶された日光の照射角度に対応した照度を算出し、該算出した照度を前記検出部によって検出された天候情報に対応した照度に変換する変換部と
を有することを特徴とする画像表示システム。
【０１１３】
（付記９）画像表示装置が照度を算出する照度算出方法であって、
前記画像表示装置が、
自装置の位置情報、時刻情報及び天候情報を検出する検出工程と、
前記検出工程によって検出された位置情報及び時刻情報に基づいて、経度及び緯度を含む位置情報及び時間情報に対応付けて、日光の照射角度及び照度を記憶した記憶部に記憶された日光の照射角度に対応した照度を算出し、該算出した照度を前記検出工程によって検出された天候情報に対応した照度に変換する変換工程と
を実行することを特徴とする照度算出方法。
【符号の説明】
【０１１４】
１、３、４、５、６  画像表示装置
２  サーバ
８  記憶装置
９  画像表示システム
１１  記憶部
１２  検出部
１３  変換部
２１  記憶部
２１１  基準位置照度変換テーブル
２１２  基準位置照射角度変換テーブル
２２  制御部
２２１  変換テーブル生成部
２２２  変換テーブル送信部
３１  画像表示部
３２  信号送受信部
３３  記憶部
３３１  照度変換テーブル
３３２  照射角度変換テーブル
３４  制御部
３４１  位置情報検出部
３４２  時刻情報検出部
３４３  天候情報検出部
３４４  変換部
３４５  変換テーブル取得部
３４６  照射角度算出部
３４７  照度変換部
３４８  画質補正処理部
４０１  配置方位測定部
４０２  画像表示面傾き測定部
４０３  配置方位検出部
４０４  画像表示面傾き検出部
４０５  配置方位記憶部
４０６  画像表示面傾き記憶部
４０７  画像表示面照度変換部
５０１  傾き調整部
【図１】
0005625463.tif 000002
【図２】
0005625463.tif 000003
【図３】
0005625463.tif 000004
【図４】
0005625463.tif 000005
【図５】
0005625463.tif 000006
【図６】
0005625463.tif 000007
【図７】
0005625463.tif 000008
【図８】
0005625463.tif 000009
【図９】
0005625463.tif 000010
【図１０】
0005625463.tif 000011
【図１１】
0005625463.tif 000012
【図１２】
0005625463.tif 000013
【図１３】
0005625463.tif 000014
【図１４】
0005625463.tif 000015